(57)【要約】【課題】画質調整を容易に行い得る映像表示装置を提供する。【解決手段】映像信号Ｄｐに基づく映像を表示部１７に表示させると共に画質調整操作に応じて映像に対する画質調整を実行する制御部２１を備え、制御部２１は、画質調整の実行時において、映像を静止させた静止画を画質調整操作に応じた画質で表示部１７における表示画面の一部または全面に表示させる。この場合、画質調整の実行時において動画状態の映像を静止画と共に表示部１７の表示画面に表示させる構成を採用することができる。【選択図】図１
2007150402.tif 000002
【特許請求の範囲】
【請求項１】
映像信号に基づく映像を表示部に表示させると共に画質調整操作に応じて前記映像に対する画質調整を実行する制御部を備えた映像表示装置であって、
前記制御部は、前記画質調整の実行時において、動画状態の前記映像を静止させた静止画を前記画質調整操作に応じた画質で前記表示部における表示画面の一部または全面に表示させる映像表示装置。
【請求項２】
前記制御部は、前記画質調整の実行時において、動画状態の前記映像を前記静止画と共に前記表示画面に表示させる請求項１記載の映像表示装置。
【請求項３】
前記制御部は、前記画質調整の実行時において、動画状態の前記映像と前記静止画とを隣り合わせて前記表示画面に表示させる第１の表示形態、前記動画状態の映像と前記静止画とを少なくとも一部を重ね合わせて前記表示画面に表示させる第２の表示形態、および前記静止画を前記表示画面に全面表示させる第３の表示形態のうちの少なくとも２つの表示形態を切替操作に応じて切り替える請求項１記載の映像表示装置。
【発明の詳細な説明】
【技術分野】
【０００１】
本発明は、画質調整操作に応じて映像の画質調整を実行する制御部を備えた映像表示装置に関するものである。
【背景技術】
【０００２】
テレビ等の映像表示装置には、一般的に、表示部に表示された映像の画質調整を行う画質調整機能が備えられている。この画質調整機能を備えた映像表示装置として、特開平５−２３６３８７号公報に開示されたＴＶ受像機が知られている。このＴＶ受像機では、画質調整を行う際に、前回の画質調整時において設定したパラメータのレベルを示すレベルバーが表示さる。このため、このＴＶ受像機では、このレベルバーを見ながら画質調整を行うことで、現在のレベルについて、前回のレベルと比較してどれだけ操作したかを一目で知ることが可能となっている。
【特許文献１】特開平５−２３６３８７号公報（第２−３頁、第３図）
【発明の開示】
【発明が解決しようとする課題】
【０００３】
ところが、上記のＴＶ受像機を含む従来の映像表示装置には、以下の問題点がある。すなわち、この種の映像表示装置では、一般的に、映像信号に基づく映像をそのまま（動画のまま）表示している状態で画質調整が行われる。一方、画質調整は、部屋の明暗等に応じて映像を見易く表示させるために行われることが多い。しかしながら、従来の映像表示装置では、映像をそのまま表示している状態で画質調整が行われるため、調整対象の映像自体の明るさや色調が刻々と変化する。したがって、この映像表示装置には、表示されている映像の明るさや色調が変化することに起因して画質調整が困難であるという問題点が存在する。
【０００４】
本発明は、かかる問題点に鑑みてなされたものであり、画質調整を容易に行い得る映像表示装置を提供することを主目的とする。
【課題を解決するための手段】
【０００５】
上記目的を達成すべく本発明に係る映像表示装置は、映像信号に基づく映像を表示部に表示させると共に画質調整操作に応じて前記映像に対する画質調整を実行する制御部を備えた映像表示装置であって、前記制御部は、前記画質調整の実行時において、動画状態の前記映像を静止させた静止画を前記画質調整操作に応じた画質で前記表示部における表示画面の一部または全面に表示させる。
【０００６】
この映像表示装置では、制御部が、画質調整の実行時において、動画状態の映像を静止させた静止画を画質調整操作に応じた画質で表示部における表示画面の一部または全面に表示させる。このため、例えば、映像の明るさや色調が刻々と変化しているとしても、静止画を見ながら画質調整を行うことで、通常のテレビでは映像の明るさや色調の変化に起因して画質調整が困難となるのに対して、映像に対する画質調整を確実かつ極めて容易に行うことができる。
【０００７】
また、本発明に係る映像表示装置は、上記の映像表示装置において、前記制御部は、前記画質調整の実行時において、動画状態の前記映像を前記静止画と共に前記表示画面に表示させる。
【０００８】
この映像表示装置では、制御部が、画質調整の実行時において、動画状態の映像を静止画と共に表示画面に表示させる。このため、動画状態の映像を観賞しつつ、静止画を用いた画質調整を行うことができる。
【０００９】
また、本発明に係る映像表示装置は、上記の映像表示装置において、前記制御部は、前記画質調整の実行時において、動画状態の前記映像と前記静止画とを隣り合わせて前記表示画面に表示させる第１の表示形態、前記動画状態の映像と前記静止画とを少なくとも一部を重ね合わせて前記表示画面に表示させる第２の表示形態、および前記静止画を前記表示画面に全面表示させる第３の表示形態のうちの少なくとも２つの表示形態を切替操作に応じて切り替える。
【００１０】
この映像表示装置では、制御部が、画質調整の実行時において、第１の表示形態、第２の表示形態、および第３の表示形態の３つの表示形態を切替操作に応じて切り替える。このため、使用者の好みに応じて表示形態を任意に選択して静止画を用いた画質調整を行うことができる。
【発明を実施するための最良の形態】
【００１１】
以下、本発明に係る映像表示装置の最良の形態について、添付図面を参照して説明する。図１に示すプロジェクションテレビ（以下、単に「テレビ」ともいう）１は、本発明に係る映像表示装置を備えたテレビの一例であって、同図に示すように、本体部２およびリモコン３を備えて構成されている。本体部２は、選局処理部１１、チューナ１２、プリセット情報保存部１３、信号切替部１４、映像音声処理部１５、映像出力部１６、表示部１７、音声出力部１８、スピーカ１９、受光部２０ａ、キー入力処理部２０、制御部２１、静止画メモリ２２および画質データ保存部２３を備えている。
【００１２】
選局処理部１１は、制御部２１の制御に従い、チューナ１２に対して所定のチャンネルを選局させてそのチャンネルの映像音声信号Ｓａを抽出させる。チューナ１２は、一例として、ＢＳデジタル放送、１１０度ＣＳデジタル放送、地上デジタル放送および地上アナログ放送を受信可能に構成されて、選局処理部１１の制御に従い、所定のチャンネルを選局してそのチャンネルの映像音声信号Ｓａを図外のアンテナで受信した放送波から抽出して信号切替部１４に出力する。
【００１３】
プリセット情報保存部１３は、リモコン３の各チャンネル指定キー３２（図２参照）と各チャンネル指定キー３２に割り当てられるチャンネル（チャンネルの番号）とを対応付けるプリセットデータＤｃを記憶する。信号切替部１４は、制御部２１の制御に従い、図１に示す入力端子２４ａ，２４ｂ，２４ｃ（以下、区別しないときには「入力端子２４」ともいう）を介して入力している外部装置１００ａ〜１００ｃからの映像音声信号Ｓａ、およびチューナ１２によって抽出されている映像音声信号Ｓａのうちのいずれか１つの映像音声信号Ｓａを切り替えて出力する。映像音声処理部１５は、制御部２１の制御に従い、信号切替部１４から出力される映像音声信号Ｓａに基づく映像信号Ｄｐおよび音声信号Ｄｖを映像出力部１６および音声出力部１８にそれぞれ出力する。
【００１４】
映像出力部１６は、制御部２１の制御に従い、映像音声処理部１５から出力された映像信号Ｄｐを映像Ｐ（図２参照）の表示用の映像信号Ｓｐに変換して表示部１７に出力する。また、映像出力部１６は、制御部２１の制御に従い、後述する静止画データＤｐｓを映像信号Ｄｐから取り込んで静止画メモリ２２に記憶させる。さらに、映像出力部１６は、制御部２１の制御に従い、映像信号Ｄｐや静止画データＤｐｓを用いて、図４〜図６にそれぞれ示す画質調整用画面Ｐａ１〜Ｐａ３（以下、区別しないときには「画質調整用画面Ｐａ」ともいう）を表示させるための映像信号Ｓｐを生成する。表示部１７は、一例として、光学エンジンおよびスクリーンパネル（いずれも図示せず）を備え、映像出力部１６から出力された映像信号Ｓｐに対応する映像を表示する。具体的には、この表示部１７は、出力された映像信号Ｓｐに基づいて光源ランプからの投射光を光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。
【００１５】
音声出力部１８は、制御部２１の制御に従い、映像音声処理部１５から出力された音声信号Ｄｖを増幅して音声信号Ｓｖとしてスピーカ１９に出力する。スピーカ１９は、音声出力部１８から出力された音声信号Ｓｖに基づく音声を出力する。なお、本明細書における「音声」には、人の声のみならず、鳥の鳴き声、風の音および音楽等の各種の「音」が含まれる。受光部２０ａは、リモコン３から出力される赤外線信号Ｓｉを受光して復調信号Ｓｄを出力する。キー入力処理部２０は、受光部２０ａから出力された復調信号Ｓｄに対応する（つまりリモコン３の操作キーに対応する）操作信号Ｓｏを制御部２１に出力する。
【００１６】
制御部２１は、キー入力処理部２０から出力された操作信号Ｓｏに従い、選局処理部１１、信号切替部１４、映像音声処理部１５、映像出力部１６および音声出力部１８等を制御する。また、制御部２１は、リモコン３の画質調整キー３６（図２参照）に対応する操作信号Ｓｏがキー入力処理部２０から出力されたとき、つまり画質調整キー３６が操作されたときには、図３に示す画質調整処理５０を実行する。また、制御部２１は、画質調整後の画質についての画質データＤｑを生成して画質データ保存部２３に記憶させる（保存する）。静止画メモリ２２は、制御部２１の制御に従い、静止画データＤｐｓを記憶する。画質データ保存部２３は、制御部２１の制御に従い、画質データＤｑを記憶する。
【００１７】
リモコン３は、図２に示すように、本体部２とは別体に形成されている。また、リモコン３は、電源キー３１、チャンネル指定キー３２、カーソルキー３３、決定キー３４、信号切替キー３５、画質調整キー３６および表示切替キー３７などの各種操作キーが配列されて構成され、これらの操作キーが操作されたときに、各操作キーに対応する赤外線信号Ｓｉを出力（送信）する。
【００１８】
次に、テレビ１の全体的な動作について、図面を参照して説明する。このテレビ１では、図２に示すリモコン３の電源キー３１が操作された際に、リモコン３は、電源キー３１に対応する赤外線信号Ｓｉを出力し、受光部２０ａは、赤外線信号Ｓｉを受光して復調信号Ｓｄを出力する。また、キー入力処理部２０は、その復調信号Ｓｄに対応する操作信号Ｓｏを制御部２１に出力する。これに応じて、制御部２１は、図外の電源部を制御して、表示部１７の光学エンジンに電源を供給させる。また、制御部２１は、選局処理部１１を制御することにより、直前の電源切断時に選局されていたチャンネル（例えばＢＳ１０２チャンネル）の映像音声信号Ｓａをチューナ１２に抽出させる。また、制御部２１は、信号切替部１４を制御することにより、チューナ１２から出力された映像音声信号Ｓａを映像音声処理部１５に出力させる。次いで、映像音声処理部１５は、信号切替部１４から出力された映像音声信号Ｓａに基づく映像信号Ｄｐおよび音声信号Ｄｖを映像出力部１６および音声出力部１８にそれぞれ出力する。続いて、映像出力部１６は、映像信号Ｄｐを映像Ｐの表示用の映像信号Ｓｐに変換して表示部１７に出力する。この場合、映像出力部１６は、映像信号Ｄｐから映像信号Ｓｐへの変換の際に、制御部２１の制御に従い、画質データ保存部２３から画質データＤｑを読み出して、その画質データＤｑによって特定される値で画質に関する各パラメータを調整する。次いで、表示部１７の光学エンジンは映像信号Ｓｐに基づいて変調した投射光をスクリーンパネルに投射する。これにより、図２に示すように、ＢＳ１０２チャンネルの映像Ｐが表示部１７の表示画面１７ａに表示される。また、音声出力部１８は、映像音声処理部１５から出力された音声信号Ｄｖを増幅して音声信号Ｓｖをスピーカ１９に出力し、スピーカ１９は、音声信号Ｓｖに基づくＢＳ１０２チャンネルの音声を出力する。
【００１９】
次に、映像Ｐの画質を調整する際には、図２に示すリモコン３の画質調整キー３６を操作する。この際に、リモコン３が画質調整キー３６に対応する赤外線信号Ｓｉを出力し、キー入力処理部２０が画質調整キー３６に対応する操作信号Ｓｏを制御部２１に出力する。これに応じて、制御部２１は、図３に示す画質調整処理５０を実行する。この画質調整処理５０では、制御部２１は、映像出力部１６を制御することにより、静止画を表示可能な静止画データＤｐｓを例えば現在出力されている映像信号Ｄｐから取り込ませて、その静止画データＤｐｓを静止画メモリ２２に記憶させる（ステップ５１）。次いで、制御部２１は、映像出力部１６を制御することにより、静止画メモリ２２に記憶されている静止画データＤｐｓを用いて画質調整用画面Ｐａを表示するための映像信号Ｓｐを生成させる。
【００２０】
ここで、このテレビ１では、動画状態の映像Ｐと静止画Ｐｓとを隣り合わせて（互いに重なり合わないように）表示画面１７ａに同時に表示する２画面表示（本発明における第１の表示形態：図４の画質調整用画面Ｐａ１参照）、動画状態の映像Ｐと静止画Ｐｓとを重ね合わせて表示画面１７ａに同時に表示するＰＩＰ（Picture In Picture）表示（本発明における第２の表示形態：図５の画質調整用画面Ｐａ２参照）、および静止画Ｐｓだけを表示画面１７ａの全面に表示させる全画面表示（本発明における第３の表示形態：図６の画質調整用画面Ｐａ３参照）の３つの表示形態の画質調整用画面Ｐａを表示切替キー３７を用いた切替操作によって切り替えて表示させることが可能となっている。
【００２１】
この場合、制御部２１は、表示切替キー３７の操作によって２画面表示とＰＩＰ表示とのいずれかが選択されているときには、映像出力部１６を制御して、静止画Ｐｓ、動画状態の映像Ｐ、およびパラメータ選択画像Ｐｐ（図４〜６参照）を合成した画質調整用画面Ｐａ１，Ｐａ２をそれぞれ表示する（静止画Ｐｓと映像Ｐとを同時に表示する）ための映像信号Ｓｐを静止画データＤｐｓおよび映像信号Ｄｐを用いて生成させる。また、制御部２１は、表示切替キー３７の操作によって全画面表示が選択されているときには、映像出力部１６を制御して、静止画Ｐｓおよびパラメータ選択画像Ｐｐで構成された画質調整用画面Ｐａ３を表示する（静止画Ｐｓを表示画面１７ａの全面に表示する）ための映像信号Ｓｐを静止画データＤｐｓを用いて生成させる。続いて、映像出力部１６が映像信号Ｓｐを生成して表示部１７に出力することにより、図４（または、図５，６）に示すように、画質調整用画面Ｐａ１（または画質調整用画面Ｐａ２，Ｐａ３）が表示部１７の表示画面１７ａに表示される（ステップ５２）。
【００２２】
次に、画質パラメータ選択画像Ｐｐの中から調整するパラメータ（例えば「明るさ」）をリモコン３のカーソルキー３３および決定キー３４を用いて選択する。この際に、リモコン３はカーソルキー３３に対応する赤外線信号Ｓｉおよび決定キー３４に対応する赤外線信号Ｓｉを出力し、キー入力処理部２０は操作信号Ｓｏを制御部２１に出力する。次いで、制御部２１は、操作信号Ｓｏを取得して（ステップ５３）、その操作信号Ｓｏが画質調整用の操作信号Ｓｏであるか否かを判別する（ステップ５４）。この場合、制御部２１は、取得した操作信号Ｓｏが画質調整用の操作信号Ｓｏであると判別して、その操作信号Ｓｏに対応する画質調整に関する処理を実行する（ステップ５５）。具体的には、制御部２１は、操作信号Ｓｏに従って映像出力部１６を制御することにより、パラメータ（この場合明るさ）の値を示すインジケータＰｉ（図４参照）を画質調整用画面Ｐａ１内に表示させるための映像信号Ｓｐを出力させる。
【００２３】
続いて、上向きのカーソルキー３３または下向きのカーソルキー３３を操作して明るさを調整する。この際に、制御部２１は、カーソルキー３３に対応する操作信号Ｓｏを取得する（ステップ５３）。次いで、制御部２１は、その操作信号Ｓｏが画質調整用の操作信号Ｓｏであると判別して（ステップ５４）、その操作信号Ｓｏに対応する画質調整に関する処理を実行する（ステップ５５）。具体的には、制御部２１は、操作信号Ｓｏに従って映像出力部１６を制御することにより、画質調整用画面Ｐａ１の明るさ（静止画Ｐｓおよび映像Ｐ）の明るさをカーソルキー３３の操作に応じた明るさに調整（変更）させる（ステップ５５）。この場合、画質調整用画面Ｐａ１内に静止画Ｐｓが表示されているため、例えば、映像Ｐの明るさや色調が刻々と変化していたとしても、静止画Ｐｓを見ながら画質調整を行うことで、通常のテレビでは映像Ｐの明るさや色調の変化に起因して画質調整が困難となるのに対して、このテレビ１では極めて容易に画質調整が行われる。以下、同様にして、カーソルキー３３および決定キー３４を用いて調整するパラメータを選択した後に、上向きのカーソルキー３３や下向きのカーソルキー３３を操作して各パラメータの値を調整する。この際に、制御部２１は、上記したステップ５３〜５５を繰り返して実行する。これにより、画質調整用画面Ｐａ１における静止画Ｐｓおよび映像Ｐの各パラメータがカーソルキー３３の操作に応じた値に調整される。
【００２４】
次に、制御部２１による画質調整処理５０の実行中に、例えば、音量調整キー３８が操作されたときには、リモコン３は音量調整キー３８に対応する赤外線信号Ｓｉを出力し、キー入力処理部２０は操作信号Ｓｏを制御部２１に出力する。この際には、制御部２１は、ステップ５４において、キー入力処理部２０から出力された操作信号Ｓｏが画質調整用の操作信号Ｓｏではないと判別して、その操作信号Ｓｏが画質調整終了を指示する操作信号Ｓｏか否かを判別する（ステップ５６）。この場合、キー入力処理部２０から出力された操作信号Ｓｏが画質調整終了を指示する操作信号Ｓｏではないため、制御部２１は、その操作信号Ｓｏに対応する画質調整以外の処理（この場合、音量調整処理）を実行する（ステップ５７）。
【００２５】
次に、画質調整を終了して映像Ｐだけの通常の表示に戻すときには、画質調整キー３６を再度操作する。この際には、制御部２１は、ステップ５６において、キー入力処理部２０から出力された操作信号Ｓｏが画質調整終了を指示する操作信号Ｓｏであると判別する。次いで、制御部２１は、調整後の（変更後）の各パラメータの値についての画質データＤｑを生成して画質データ保存部２３に保存すると共に、映像出力部１６を制御することにより、画質調整用画面Ｐａに代えて、映像Ｐだけを表示するための映像信号Ｓｐを出力させる。これにより、図２に示すように、画質調整用画面Ｐａに代えて、映像Ｐのみが表示部１７の表示画面１７ａに全面表示される（ステップ５８）。
【００２６】
一方、チューナ１２からの映像音声信号Ｓａに基づく映像Ｐおよび音声に代えて、入力端子２４ａに接続されている外部装置１００ａ（例えばＶＴＲ）からの映像音声信号Ｓａに基づく映像Ｐおよび音声を視聴する際には、リモコン３の信号切替キー３５を操作する。この際に、制御部２１は、キー入力処理部２０から出力される操作信号Ｓｏに従って信号切替部１４を制御して、チューナ１２からの放送信号Ｓａに代えて、入力端子２４ａを介して入力しているＶＴＲからの映像音声信号Ｓａを映像音声処理部１５に出力させる。続いて、映像音声処理部１５が、ＶＴＲからの映像音声信号Ｓａに基づく映像信号Ｄｐおよび音声信号Ｄｖを映像出力部１６および音声出力部１８にそれぞれ出力することにより、ＶＴＲの映像Ｐが表示されると共にＶＴＲの音声が出力される。次に、ＶＴＲの映像Ｐの画質を調整する際には、リモコン３の画質調整キー３６を操作する。この際に、制御部２１は、キー入力処理部２０からの操作信号Ｓｏに従い、画質調整処理５０を実行する。以下、上記した処理と同様にリモコン３の操作キーの操作に応じて制御部２１が画質調整処理５０の各ステップを実行することにより、ＶＴＲの映像Ｐの各パラメータがその操作に応じた値に調整される。この場合においても、画質調整時に静止画Ｐｓが表示されるため、映像Ｐの明るさや色調が刻々と変化していたとしても、静止画Ｐｓを見ながら画質調整を行うことで、通常のテレビでは映像Ｐの明るさや色調の変化に起因して画質調整が困難となるのに対して、このテレビ１では極めて容易に画質調整が行われる。
【００２７】
このように、このテレビ１によれば、制御部２１が画質調整の実行時において静止画Ｐｓを画質調整操作に応じた画質で表示部１７における表示画面１７ａの一部または全面に表示させることにより、例えば、映像Ｐの明るさや色調が刻々と変化しているとしても、静止画Ｐｓを見ながら画質調整を行うことで、通常のテレビでは映像Ｐの明るさや色調の変化に起因して画質調整が困難となるのに対して、映像Ｐに対する画質調整を確実かつ極めて容易に行うことができる。
【００２８】
また、このテレビ１によれば、制御部２１が画質調整の実行時において動画状態の映像Ｐを静止画Ｐｓと共に表示部１７の表示画面１７ａに表示させることにより、映像Ｐを観賞しつつ、静止画Ｐｓを用いた画質調整を行うことができる。
【００２９】
また、このテレビ１によれば、制御部２１が画質調整の実行時において、画質調整用画面Ｐａの表示形態としての２画面表示、ＰＩＰ表示および全画面表示の３つの表示形態を表示切替キー３７を用いた切替操作に応じて切り替えることにより、使用者の好みに応じて表示形態を任意に選択して静止画Ｐｓを用いた画質調整を行うことができる。
【００３０】
なお、本発明は、上記の構成に限定されない。例えば、光学エンジンおよびスクリーンパネルを有する表示部１７を備えたプロジェクションテレビ１に適用した例について上記したが、ＣＲＴ、液晶表示パネルおよびプラズマディスプレイ等で構成された表示部を備えたテレビに適用することもできる。また、音声出力部１８およびスピーカ１９を備えていない映像表示装置や、選局処理部１１およびチューナ１２を備えていない映像表示装置等の各種の映像表示装置に適用することもできる。また、画質調整用画面Ｐａの表示形態としての２画面表示、ＰＩＰ表示および全画面表示の３つの表示形態を切替操作に応じて切り替える構成例について上記したが、これら３つの表示形態のうちの少なくとも２つを切替操作に応じて切り替える構成を採用することもできる。また、画質調整用画面Ｐａの表示形態をこれら３つの表示形態のうちの１つだけに固定した構成を採用することもできる。この場合、ＰＩＰ表示の表示形態としては、図５の画質調整用画面Ｐａ２に示したように、静止画Ｐｓの上に動画状態の映像Ｐを重ね合わせた表示形態に限定されず、動画状態の映像Ｐの上に静止画Ｐｓを重ね合わせた表示形態を採用することもできる。
【図面の簡単な説明】
【００３１】
【図１】プロジェクションテレビ１の構成を示すブロック図である。
【図２】プロジェクションテレビ１の正面図である。
【図３】画質調整処理５０のフローチャートである。
【図４】画質調整用画面Ｐａ１の表示画面図である。
【図５】画質調整用画面Ｐａ２の表示画面図である。
【図６】画質調整用画面Ｐａ３の表示画面図である。
【符号の説明】
【００３２】
１  プロジェクションテレビ、１７  表示部、１７ａ  表示画面、２１  制御部、３３  カーソルキー、３６  画質調整キー、５０  画質調整処理、Ｄｐ，Ｓｐ  映像信号、Ｐ  映像、Ｐａ１〜Ｐａ３  画質調整用画面、Ｐｓ  静止画、Ｓａ  映像音声信号
【図１】
2007150402.tif 000003
【図２】
2007150402.tif 000004
【図３】
2007150402.tif 000005
【図４】
2007150402.tif 000006
【図５】
2007150402.tif 000007
【図６】
2007150402.tif 000008